(57)【特許請求の範囲】
【請求項１】
外付けマイクロホン（３）を保持するマイクロホン保持具（５）と、前記マイクロホン保持具を篏合する直方体状の篏合部（９）が凹設された筐体（１）とから構成され、
前記直方体状の篏合部は、前記筐体の隣り合う２表面（１ａ、１ｂ）において同形であり、該隣り合う２表面の１方に対向する側に、前記マイクロホン保持具を固定するための保持具固定ねじ穴（７）が前記筐体を貫通して設けられ、
前記マイクロホン保持具には、前記マイクロホンが固定されるマイクロホン固定穴（２）および前記筐体の保持具固定ねじ穴からねじ（６）が螺着される保持具ねじ穴（８）が設けられ、
前記保持具ねじ穴は、前記マイクロホン固定穴を有する面（５ａ）に対向するねじ穴（８ａ）および前記マイクロホン固定穴を有する面に隣り合う面（５ｂ）に対向するねじ穴（８ｂ）の２方向に穿設されたことを特徴とするマイクロホン装置。
【発明の詳細な説明】
【０００１】
【発明の属する技術分野】
本発明はマイクロホン装置に係わり、特に、外付けマイクロホンを備え、卓上使用および壁取付け使用のいずれにも対応可能なマイクロホン装置に関する。
【０００２】
【従来の技術】
従来、マンションの管理室や病院等で使用されているマイクロホン装置は、図４に示すように、筐体１’の前面１ａ’に、外付けマイクロホン３’が固定されるマイクロホン固定穴２’が穿設され、このマイクロホン固定穴２’に、外付けマイクロホン３’のねじ山が切られた端部を挿通し、ナット４を用いて締め付け、外付けマイクロホン３’は筐体１’に直接固定されている。
【０００３】
一般的にこの種のマイクロホン装置は、外付けマイクロホン３’の取付方向は、卓上で使用する場合を前提にして製作されることが多かった。
【０００４】
【発明が解決しようとする課題】
外付けマイクロホン３’を取付けたマイクロホン装置を卓上で使用する場合は、外付けマイクロホン３’は筐体１’の正面１ａ’にあった方が良いが、マイクロホン装置を壁取付け式で使用する場合には、外付けマイクロホン３’が壁面から飛び出してしまい、使い勝手が悪く、外観も悪いという難点があった。
【０００５】
しかし、外付けマイクロホン３’の取付け位置が固定され変更はできず、対応するためには、壁取付け式用に別の筐体を製作しなければならないという問題があった。
本発明は上述した難点に鑑みなされたもので、卓上使用および壁取付け使用のいずれにも対応可能なマイクロホン装置を提供することを目的とする。
【０００６】
【課題を解決するための手段】
この目的を達成するため、本発明のマイクロホン装置は、外付けマイクロホンを保持するマイクロホン保持具と、マイクロホン保持具を篏合する直方体状の篏合部が凹設された筐体とから構成され、直方体状の篏合部は、筐体の隣り合う２表面において同形であり、隣り合う２表面の１方に対向する側に、前記マイクロホン保持具を固定するための保持具固定ねじ穴が筐体を貫通して設けられ、マイクロホン保持具には、マイクロホンが固定されるマイクロホン固定穴および筐体の保持具固定ねじ穴からねじが螺着される保持具ねじ穴が設けられ、保持具ねじ穴は、マイクロホン固定穴を有する面に対向するねじ穴およびマイクロホン固定穴を有する面に隣り合う面に対向するねじ穴の２方向に穿設されている。
【０００７】
本発明のマイクロホン装置によれば、マイクロホン保持具の保持具ねじ穴は、マイクロホン固定穴を有する面に対向するねじ穴およびマイクロホン固定穴を有する面に隣り合う面に対向するねじ穴の２方向に穿設されているので、いずれか１方の保持具ねじ穴を選択し、筐体に対して、マイクロホン保持具を９０度位置変えして固定できるので、卓上使用および壁取付け使用のいずれにも対応可能となる。
【０００８】
【発明の実施の形態】
以下、本発明のマイクロホン装置における好ましい実施の形態例を図面に基づいて説明する。
図１に示すように、本発明のマイクロホン装置は、マンションの管理室や病院等で使用されている外付けマイクロホン３を備えたマイクロホン装置であって、外付けマイクロホン３を保持するマイクロホン保持具５と、マイクロホン保持具５を篏合する直方体状の篏合部９がその角部に凹設された筐体１とから構成される。
【０００９】
直方体状の篏合部９は、筐体１の隣り合う２表面１ａ、１ｂ（以下、それぞれ、筐体正面、筐体上面とする）が同形（ｘ＝ｙ）であり、その１方である筐体正面１ａに対向する側に、マイクロホン保持具５を固定するための保持具固定ねじ穴７が２個、筐体１を貫通して穿設されている。
図１および図２に示すように、マイクロホン保持具５は、直方体状の篏合部９に篏着されるよう、隣り合う２表面５ａ、５ｂ（以下、それぞれ、保持具正面、保持具上面とする）が同形（ｘ＝ｙ）であり、その１方である保持具正面５ａに外付けマイクロホン３が固定されるマイクロホン固定穴２が設けられ、保持具正面５ａ、保持具上面５ｂに連接された２つのリブ５ｃ、５ｄには、筐体１の保持具固定ねじ穴７、７からねじ６、６が螺着される保持具ねじ穴８が設けられている。
【００１０】
保持具ねじ穴８は、保持具正面５ａに対向するねじ穴８ａ、８ａと、保持具上面５ｂに対向するねじ穴８ｂ、８ｂの２方向に穿設されている。
次に、本発明のマイクロホン装置の作用を説明する。
まず、図１に示すように、外付けマイクロホン３をマイクロホン保持具５に固定する。即ち、マイクロホン保持具５のマイクロホン固定穴２に、外付けマイクロホン３のねじ山が切られた端部を挿通し、ナット４を用いて締め付け、外付けマイクロホン３をマイクロホン保持具５に固定する。
【００１１】
本発明のマイクロホン装置を壁取付け使用するときは、図３（ａ）に示すように、筐体１の篏合部９に、外付けマイクロホン３が固定されたマイクロホン保持具５を篏着するにあたり、筐体１の上面１ｂにマイクロホン保持具５の保持具正面５ａを、筐体１の正面１ａにマイクロホン保持具５の保持具上面５ｂが位置するよう篏着し、ねじ穴８ｂ、８ｂにねじ６を螺着して、マイクロホン保持具５を筐体に固定する。
【００１２】
本発明のマイクロホン装置を卓上使用するときは、図３（ｂ）に示すように、筐体１の篏合部９に、外付けマイクロホン３が固定されたマイクロホン保持具５を篏着するにあたり、筐体１の正面１ａにマイクロホン保持具５の保持具正面５ａを、筐体１の上面１ｂにマイクロホン保持具５の保持具上面５ｂが位置するよう篏着し、ねじ穴８ａ、８ａにねじ６を螺着して、マイクロホン保持具５を筐体１に固定する。
【００１３】
本発明のマイクロホン装置のマイクロホン保持具５は、９０度向きが異なる保持具ねじ穴８ａ、８ｂを有するので、その選択によって、筐体１に対してマイクロホン保持具５を９０度位置を変えて固定でき、卓上使用と壁取付け使用のそれぞれで使い勝手の良い方向に、マイクロホンの引出し方向を容易に変更できる。このマイクロホンの引出し方向の変更は、別の筐体を製作せずに実施できるため、納入現場でのマイクロホンの引出し方向の変更も容易である。
【００１４】
【発明の効果】
以上の説明から明らかなように、本発明のマイクロホン装置は、マイクロホン保持具の保持具ねじ穴は、マイクロホン固定穴を有する面に対向するねじ穴およびマイクロホン固定穴を有する面に隣り合う面に対向するねじ穴の２方向に穿設されているので、いずれか１方の保持具ねじ穴を選択すれば、筐体に対してマイクロホン保持具を９０度位置を変えて固定でき、卓上使用と壁取付け使用のそれぞれに対応できる。別の筐体を製作せずにマイクロホンの引出し方向の変更ができるため、納入現場でのマイクロホンの引出し方向の変更も容易である。
【図面の簡単な説明】
【図１】本発明のマイクロホン装置の一実施例を示す図。
【図２】本発明のマイクロホン装置の保持具ねじ穴を示す図。
【図３】本発明のマイクロホン装置の使用例を示す図で、（ａ）は壁取付け使用、（ｂ）は卓上使用を示す。
【図４】従来のマイクロホン装置を示す図。
【符号の説明】
１・・・筐体
１ａ・・・筐体正面
１ｂ・・・筐体上面
２・・・マイクロホン固定穴
３・・・外付けマイクロホン
５・・・マイクロホン保持具
５ａ・・・保持具正面
５ｂ・・・保持具上面
６・・・ねじ
７・・・保持具固定ねじ穴
８（８ａ、８ｂ）・・・保持具ねじ穴
９・・・篏合部
【図１】
0004150122.tif 000002
【図２】
0004150122.tif 000003
【図３】
0004150122.tif 000004
【図４】
0004150122.tif 000005